【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
スライドショー形式で画像を再生表示する画像再生装置であって、
撮影済み画像をその撮影日時に対応付けて記憶管理する画像記憶手段と、
スライドショーの表示対象を撮影済み画像の中から複数選択する際に、予め決められている所定の画像数分の画像を選択する第１の選択手段と、
この第１の選択手段によって選択された各撮影済み画像の撮影日時を参照してその撮影期間を特定する特定手段と、
この特定手段によって特定された撮影期間内に含まれている各撮影済み画像をスライドショーの表示対象として選択する第２の選択手段と、
この第２の選択手段によって選択された各撮影済み画像をスライドショー形式で順次切り換え表示する表示手段と、
を具備したことを特徴とする画像再生装置。
【請求項２】
前記所定の画像数は、予め任意に設定された情報である、ことを特徴とする請求項１記載の画像再生装置。
【請求項３】
前記特定手段は、前記第１の選択手段によって選択された各撮影済み画像の撮影日時を参照してその撮影期間を特定する際に、最も新しい撮影日時と古い撮影日時によって特定された期間を時間単位、日単位、週単位、月単位、年単位の何れかを単位とすることによって撮影期間の特定を行う、
ようにしたことを特徴とする請求項１記載の画像再生装置。
【請求項４】
コンピュータに対して、
撮影済み画像をその撮影日時に対応付けて記憶管理する機能と、
スライドショーの表示対象を撮影済み画像の中から複数選択する際に、予め決められている所定の画像数分の画像を選択する機能と、
選択された各撮影済み画像の撮影日時を参照してその撮影期間を特定する機能と、
特定された撮影期間内に含まれている各撮影済み画像をスライドショーの表示対象として選択する機能と、
スライドショーの表示対象として選択された各撮影済み画像をスライドショー形式で順次切り換え表示する機能と、
を実現させるためのプログラム。
【請求項５】
スライドショー形式で画像を再生表示する画像再生装置であって、
撮影済み画像毎に、過去に再生表示された再生済み画像か未再生画像かを特定する特定手段と、
この特定手段によって未再生画像であることが特定された場合に、この未再生画像を今回のスライドショー対象画像として選択する選択手段と、
この選択手段によって選択された撮影済み画像をスライドショー形式で再生表示する表示手段と、
を具備したことを特徴とする画像再生装置。
【請求項６】
撮影済み画像に対応して過去に再生表示された画像であることを示す再生済み情報が記憶管理されている状態において、前記特定手段は、この再生済み情報の有無に基づいて再生済み画像か未再生画像かを特定する、
ようにしたことを特徴とする請求項５記載の画像再生装置。
【請求項７】
コンピュータに対して、
撮影済み画像毎に、過去に再生表示された再生済み画像か未再生画像かを特定する機能と、
未再生画像であることが特定された場合に、この未再生画像を今回のスライドショー対象画像として選択する機能と、
選択された撮影済み画像をスライドショー形式で再生表示する機能と、
を実現させるためのプログラム。
【請求項８】
画像再生装置本体は、画面付きデジタルカメラであり、
前記表示手段は、前記デジタルカメラ内の二次電池を充電する充電スタンドに当該カメラが接続された際に、カメラ画面にスライドショー形式で画像を再生表示する、
ようにしたことを特徴とする請求項１、５の何れか記載の画像再生装置。
【請求項９】
カメラ本体が充電スタンドに接続された際に、その接続状態に基づいてカメラ画面が前向きの状態で接続されたか否かを判別する判別手段を設け、
この判別手段によってカメラ画面が前向きの状態で接続されたことが判別された際に、撮影済み画像の中から再生対象として選択された画像をスライドショー形式でカメラ画面に逐次切り換え表示する、
ようにしたことを特徴とする請求項８記載の画像再生装置。
【手続補正２】
【補正対象書類名】明細書
【補正対象項目名】０００４
【補正方法】変更
【補正の内容】
【０００４】
第１の発明の課題は、予め決められている画像枚数を基準として動的に特定された撮影期間内での撮影済み画像を表示対象として自動決定してスライドショーを開始できるようにすることである。
第２の発明の課題は、過去に未再生の画像を表示対象として自動決定してスライドショーを開始できるようにすることである。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
請求項１記載の発明（第１の発明）は、スライドショー形式で画像を再生表示する画像再生装置であって、撮影済み画像をその撮影日時に対応付けて記憶管理する画像記憶手段と、スライドショーの表示対象を撮影済み画像の中から複数選択する際に、予め決められている所定の画像数分の画像を選択する第１の選択手段と、この第１の選択手段によって選択された各撮影済み画像の撮影日時を参照してその撮影期間を特定する特定手段と、この特定手段によって特定された撮影期間内に含まれている各撮影済み画像をスライドショーの表示対象として選択する第２の選択手段と、この第２の選択手段によって選択された各撮影済み画像をスライドショー形式で順次切り換え表示する表示手段とを具備したことを特徴とする。
さらに、コンピュータに対して、上述した請求項１記載の発明に示した主要機能を実現させるためのプログラムを提供する（請求項４記載の発明）。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
請求項５記載の発明（第２の発明）は、スライドショー形式で画像を再生表示する画像再生装置であって、撮影済み画像毎に、過去に再生表示された再生済み画像か未再生画像かを特定する特定手段と、この特定手段によって未再生画像であることが特定された場合に、この未再生画像を今回のスライドショー対象画像として選択する選択手段と、この選択手段によって選択された撮影済み画像をスライドショー形式で再生表示する表示手段とを具備したことを特徴とする
さらに、コンピュータに対して、上述した請求項５記載の発明に示した主要機能を実現させるためのプログラムを提供する（請求項７記載の発明）。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
請求項１記載の発明（第１の発明）によれば、撮影済み画像がその撮影日時に対応付けられて記憶管理されている状態において、スライドショーの表示対象を撮影済み画像の中から複数選択する際に、予め決められている所定の画像数分の画像を選択すると共に、選択した各撮影済み画像の撮影日時を参照してその撮影期間を特定し、この撮影期間内に含まれている各撮影済み画像をスライドショーの表示対象として選択してスライドショー形式で順次切り換え表示するようにしたから、ユーザに特別な操作を要求することなく、予め決められている画像枚数を基準として動的に特定された撮影期間内での撮影済み画像を表示対象として自動決定してスライドショーを開始することができると共に、画像枚数を基準に表示対象を選択したとしても、期間を単位として表示対象を自動決定することができる。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
請求項５記載の発明（第２の発明）によれば、撮影済み画像毎に過去に再生表示された再生済み画像か未再生画像かを特定し、未再生画像であれば、この未再生画像を今回のスライドショー対象画像として選択すると共に、この撮影済み画像をスライドショー形式で再生表示するようにしたから、ユーザに特別な操作を要求することなく、過去に未再生の画像を表示対象として自動決定してスライドショーを開始することができると共に、同一画像の重複再生を防止することができる。
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】